(57)【要約】【課題】従来、筆記具のペン先のインキ乾燥やペン先からのインキ漏れを防止するための蓋に配置されたパッキン部材は弾性材料であり、経時的な弾性の劣化や過剰な押圧力、または繰り返し押しつけられることによって永久歪みが生じ、接触面に押しつけられた形状が記憶、蓄積されてしまうので、経時的または繰り返し使用によってその密閉信頼性が低下するものであった。【解決手段】パッキン部材が蓋又は枠に対する接触部として、且つ自身が固定される部材である蓋又は枠に対して固定されない部位である自由端部を有すると共に、自由端部の蓋又は枠との接触による圧力を受ける側に対する背面位置に、圧力に対する変形逃げ部となる空間を配置した筆記具の密閉構造とする。【選択図】  図１
2004174936.tif 000002
【特許請求の範囲】
【請求項１】
接触・離脱によりインキ及び／又は空気の通過を密閉・開放する蓋と枠が、少なくとも一方の他方に対する接触する部位に弾性材料からなるパッキン部材を固定して有し、このパッキン部材が他方である前記蓋又は枠に対する接触部として、且つ自身が固定される部材である蓋又は枠に対して固定されない部位である自由端部を有すると共に、該自由端部の前記他方である蓋又は枠との接触による圧力を受ける側に対する背面位置に、前記圧力に対する変形逃げ部となる空間を配置した筆記具の密閉構造。
【請求項２】
前記パッキン部材が、前記蓋に固定されており、盤状の密閉部とこの密閉部の盤面の略中心位置に形成した突起状固定部とを有する請求項１記載の筆記具の密閉構造。
【請求項３】
前記パッキン部材が上下対称形である請求項１又は請求項２に記載の筆記具の密閉構造。
【請求項４】
前記枠がインキ収容室のインキ吐出口であり、前記蓋が弁杆である請求項１乃至請求項３のいずれかに記載の筆記具の密閉構造。
【請求項５】
前記蓋が筆記具の非使用時におけるペン先を密封空間に配置するためのキャップである請求項１乃至請求項４のいずれかに記載の筆記具の密閉構造。
【発明の詳細な説明】
【０００１】
【発明の属する技術分野】
本発明は、本体内の空気交換又は内容するインキの供給・停止などにともなう筆記具の密閉構造に関する。
【０００２】
【従来の技術】
特公平４−０１４８８０号公報に記載の発明には密閉機構を有する筆記具の一例が記載されている。即ち、筆記具の非使用時におけるペン先のインキ乾燥やペン先からのインキ洩れを防止するための蓋に弾性材料によるパッキン部材を配置したものである（特許文献１参照）。
【０００３】
【特許文献１】
特公平４−１４８８０号公報（第１頁第１欄第１行〜第１４行、第３頁第５欄第２６行〜第３２行、図１）
【０００４】
【発明が解決しようとする課題】
しかしながら蓋に固定されたパッキン部材は、弾性材料であり、この弾性材料が理想的な１００％の完全弾性をいつまでも発揮し得るものであればよいが、現実的に存在する弾性材料は少なからず経時的な弾性の劣化を伴うのもであるし、確実な密閉のためにはある程度の押圧力にて押しつけられるものであるところ、過剰な押圧力や繰り返し押しつけられることによって永久歪みが生じ、弾性材料の押しつけられ接触面に押しつけられた形状が記憶、蓄積されてしまうので、経時的または繰り返し使用によってその密閉信頼性が低下するものであった。特に、圧接の力の加わり方が部分的にバラツキを生じた場合や、部材の取り付けの不具合などで曲がり変形が生じた場合には、密閉性が得られずに、ペン先の乾燥やインキの洩れという重大な欠陥となる恐れがあった。
【０００５】
【課題を解決するための手段】
即ち、本発明は、接触・離脱によりインキ及び／又は空気の通過を密閉・開放する蓋と枠が、少なくとも一方の他方に対する接触する部位に弾性材料からなるパッキン部材を固定して有し、このパッキン部材が他方である前記蓋又は枠に対する接触部として、且つ自身が固定される部材である蓋又は枠に対して固定されない部位である自由端部を有すると共に、該自由端部の前記他方である蓋又は枠との接触による圧力を受ける側に対する背面位置に、前記圧力に対する変形逃げ部となる空間を配置した筆記具の密閉構造を要旨とする。
【０００６】
【作用】
弾性材料からなるパッキン部材が他部材に対する接触によって密閉が行われるとき、自由端部が変形逃げ部である空間を埋めるように変形し、押しつけられる面の変形を密閉に最小限必要な量に近づけることができるので、過度の押しつけ力に設定されていたり、繰り返し使用されても、弾性材料のパッキン部材としての寿命を延命し長期にわたってペン先の乾燥やインキの洩れ防止を保障することができるものである。
【０００７】
【実施例】
以下、本発明を詳細に説明する。図１乃至図３は本発明の第１実施例である。軸筒１は前軸１ａと後軸１ｂとからなり、前軸１ａの前方にはペン芯２が縦リブ１ｃによってその周囲に通気孔３を確保した状態で圧入されており、この軸筒１の中腹部には自由状態のインキ４を収容するインキタンクを区画する、密閉ユニット５が圧入されている。この密閉ユニット５は中心にインキ通孔を有する弁座５ａとこのインキ通孔を開閉する蓋である弁杆５ｂとからなっている。尚、以下の説明においては図中上方を後方とし、下方を前方とする。前軸１ａの内部であって密閉ユニット５の前方にはインキ吸蔵体６が配置されており、このインキ吸蔵体６の前端部分にペン芯２の後部が挿入されている。また、前軸１ａの前方にはキャップ７が取り外し可能に取りつけられ、ペン芯２及び通気孔３を密閉空間に収容するようになしている。通気孔３を形成する縦リブ１ｃは、ペン芯２及びインキ吸蔵体６と前軸１ａの内壁との間に隙間を形成するように密閉ユニット５近傍にまで延在されており、キャップ７を取り外した場合、外部の空気が密閉ユニット５前端まで流入可能となっている。
【０００８】
操作状態を示す図２に示すとおり、軸筒１の後部は、薄肉の多段部分であるヒンジ変形部１ｄが形成されており、中心部に形成された肉厚の押圧操作部１ｅを押圧することによってヒンジ変形部１ｄが変形して押圧操作部１ｅがインキタンク内方向に移動可能となっている。この押圧操作部１ｅにはノック棒８が遊嵌されており、操作による押圧操作部１ｅのインキタンク内方向に移動によってノック棒８も前進する。ノック棒８には先端に密閉ユニットの弁杆５ｂが接続されていると共に、中腹部分に膨出部８ａが形成されており、この膨出部８ａと弁座５ａとの間に弾撥部材としてコイルスプリング９を介在させている。コイルスプリング９は弁座５ａから後方にノック棒８を付勢するところ、この付勢力によって非操作時には弁杆５ｂが弁座５ａに密接する状態となりインキタンクの蓋が閉まった状態を形成し、操作によってノック棒８の移動に伴い弁杆５ｂが移動し、インキ通孔を開放してインキ４が流出可能となる。
【０００９】
押圧操作部１ｅには操作を容易たらしめるノック冠１０が取り付けられていると共に、このノック冠１０の後方移動を規制する尾栓１１が軸筒１の後端に取り付けられている。また、ノック冠１０は前述のキャップ７を被嵌することにより更に操作を容易になすものである。
【００１０】
図１のＩ部を拡大した図である図３を示す。
弁座５ａのインキ通孔となる縁には弾性材料であるニトリルブタジエンゴム製のパッキン１２が周状に取り付けられている。弾性材料としてはニトリルブタジエンゴムの他にシリコーンゴムあるいはエチレンプロピレンゴムなどを例示することができる。パッキン１２は、内方突出部として最も内側に自由端部１２ａを有しており、実質的にインキ通孔を形成しているものであるが、この自由端部１２ａの前後には空間が存在している。図示されているとおり、非操作状態では弁杆５ｂはこのパッキン１２と当接してインキタンクを閉塞するが、コイルスプリング９の弾撥力によって弁杆５ｂに押圧され、パッキン１２の自由端部１２ａが後方に偏位する。尚、パッキン１２は組立容易性を考慮して、前後対称形に形成されている。
【００１１】
図４乃至図６は本発明の第２実施例である。
外装体内に前後動可能に設置された、先端にペン芯を備えた筆記具本体を操作による前後移動に連動させて、ペン芯及び通気孔を密閉する蓋を開閉する筆記具による一例である。即ち、内部にインキ吸蔵体６を収容して、先端に備えるペン芯２の後端をインキ吸蔵体６に挿入している筆記具本体１３が、外装体である前軸１ａと後軸１ｂとからなる軸筒１内に前後動可能に設置されており、軸筒１の前部にて、前軸１ａと後軸１ｂとに挟まれるように、弁座５ａ’とこの弁座５ａ’とヒンジ部分１４にて一体的に接続されている蓋部５ｂ’とからなる密閉ユニット５’が固定されている。弁座５ａ’は筆記具本体１３の容器１３ａと周状当接する内方突出部１５を有しており、この内方突出部１５は筆記具本体１３の容器１３ａの移動に対して周状に摺接しつつインキ及び空気を遮断している。また、密閉ユニット５’は、筆記具本体１３と固定される固定リング１６とこの固定リング１６と蓋部５ｂ’とを結ぶ細線状の紐部１７をも一体に有している。また、蓋部５ｂ’は、実質的に弁座と周状当接する、弾性材料からなるパッキン１２’を備えている。
【００１２】
図４のＩＩ部拡大図である図５に示すとおり、パッキン１２’は、盤状の基部１８とその中心部分に形成された固定用突起１９とからなっている。これに対して蓋部５ｂ’はパッキン１２’の固定用突起１９を挿通する取り付け孔２０を有し、その取り付け孔２０の周囲を肉厚部として、この肉厚部と最外周部との間に段部２１を形成している。蓋部５ｂ’にパッキン１２’を取り付けた状態では、蓋部５ｂ’の段部の周囲に空間２２が形成され、パッキン１２’の最外周部はいずれにも接触していない自由端部１２ａ’となっている。
【００１３】
図示の状態のように、蓋が閉じられている状態では、パッキン１２’が紐部１７にて筆記具本体１３に引っ張られて弁座５ａ’に当接している状態であり、弾性部材であるパッキン１２’の自由端部１２ａ’は引っ張られる力によって弁座５ａ’に押しつけられて変形し空間２２側に偏位するものである。
尚、図６に示すとおり、操作状態においては、操作によって筆記具本体１２は前進すると共に紐部１７の引っ張り力を解除するので、蓋部５ｂ’と共にパッキン１２’も移動して弁座５ａ’の孔を開放し、外部よりペン芯２が挿出して筆記可能となすものである。
【発明の効果】
本発明は、過度の押しつけ力に設定されていたり、繰り返し使用されても、弾性材料のパッキン部材としての寿命を延命し長期にわたってペン先の乾燥やインキの洩れ防止を保障することができる。
【図面の簡単な説明】
【図１】第１実施例を示す縦断面図。
【図２】第１実施例の操作状態を示す縦断面図。
【図３】図１のＩ部拡大図。
【図４】第２実施例を示す縦断面図。
【図５】図４のＩＩ部拡大図。
【図６】操作状態を示す縦断面図。
【符号の説明】
１  軸筒
１ａ  前軸
１ｂ  後軸
１ｃ  縦リブ
１ｄ  ヒンジ変形部
１ｅ  押圧操作部
２  ペン芯
３  通気孔
４  インキ
５、５’  密閉ユニット
５ａ、５ａ’  弁座
５ｂ  弁杆
５ｂ’  蓋部
６  インキ吸蔵体
７  キャップ
８  ノック棒
８ａ  膨出部
９  コイルスプリング
１０  ノック冠
１１  尾栓
１２、１２’  パッキン
１２ａ、１２ａ’  自由端部
１３  筆記具本体
１３ａ  容器
１４  ヒンジ部
１５  内方突出部
１６  固定リング
１７  紐部
１８  基部
１９  固定用突起
２０  取り付け孔
２１  段部
２２  空間
【図１】
2004174936.tif 000003
【図２】
2004174936.tif 000004
【図３】
2004174936.tif 000005
【図４】
2004174936.tif 000006
【図５】
2004174936.tif 000007
【図６】
2004174936.tif 000008